(57)【要約】【課題】  水中に存在せしめ可燃性廃棄物を原材料としてエネルギーの生産を成す水中稼動式エネルギー発生装置を提供する。【解決手段】  第２の可燃性廃棄物原料を燃焼させる一次燃焼室と、一次燃焼室の上部に隣接配置した第１の可燃性廃棄物原料を還元雰囲気で燻焼させるガス化ガス発生室とを内蔵して外気と密閉する如く構成したガス化ガス発生装置であって、ガス化ガス発生装置の外周回りに水を充填する水ジャケットで外気と密閉区画したことを特徴とする水中稼動式エネルギー発生装置で、ガス化ガス発生室の荷重支持梁を空洞型とし、前記支持梁の空洞に上記水ジャケット内の充填水を循環させる構造とした。【選択図】図１
0003162182.tif 000002
【実用新案登録請求の範囲】
【請求項１】
第２の可燃性廃棄物原料を燃焼させる一次燃焼室と、同一次燃焼室の上部に隣接配置した第１の可燃性廃棄物原料を還元雰囲気で燻焼させるガス化ガス発生室とを内蔵して外気と密閉する如く構成したガス化ガス発生装置であって、同ガス化ガス発生装置の外周回りに水を充填する水ジャケットで外気と密閉区画したことを特徴とする水中稼動式エネルギー発生装置。
【請求項２】
上記ガス化ガス発生室の荷重支持梁を空洞型とし、前記支持梁の空洞に上記ジャケットの充填水を循環させる構造としたことを特徴とする請求項１に記載の水中稼動式エネルギー発生装置。
【考案の詳細な説明】
【技術分野】
【０００１】  本考案は、可燃性廃棄物を原料としてエネルギーの生産を成す技術に関わる
【背景技術】
【０００２】  今世界中で石油に換わる新エネルギーの研究・開発が進んでいるが、本考案は前記で示す可燃性廃棄物を以って、エネルギー変換を成す技術である【０００３】  又、エネルギーへの変換後は、炭化した可燃性廃棄物を、燃料として本考案によって再利用することで、最終処分を要する残渣は５パーセント程度であり、従来の処理方法と比較しても、本考案は、処理負担を大幅に軽減することが可能となった
【先行技術文献】
【特許文献】
【０００４】
【特許文献１】  登録実用新案第３１３８３１１号公報
【０００５】
【考案の概要】
【考案が解決しようとする課題】
【０００６】  本考案の目的は、水ジャケット充填水を最大限利活用することで、発電を成すと同時に水ジャケット内のエネルギー発生装置の高熱に対する劣化防止や、安全性・耐久性に優れたエネルギー発生装置を以ってエネルギーの安定生産を成すことである。
【課題を解決するための手段】
【０００７】  第２の可燃性廃棄物原料を燃焼させる一次燃焼室と、同一次燃焼室の上部に隣接配置した第１の可燃性廃棄物原料を還元雰囲気で燻焼させるガス化ガス発生室とを内蔵して外気と密閉する如く構成したガス化ガス発生装置であって、同ガス化ガス発生装置の外周回りに水を充填する水ジャケットで外気と密閉区画したことを特長とする水中稼動式エネルギー発生装置で、ガス化ガス発生室の荷重支持梁を空洞型とし、前記支持梁の空洞に上記ジャケットの充填水を循環させる構造とした。
【考案の効果】
【０００８】  上記構成の水中稼動式エネルギー発生装置としたため、以下の機能特性を有する装置となった。
１、これまでの様な、大気露出型のエネルギー生産装置と異なり、水中稼動式とすることで、安全性・耐久性に優れた装置となった。
２、本考案であるエネルギー生産のための装置の最良の形態は、発電に係わる装置である水ジャケット、及びその充填水、また、その中に存在せしめたガス化ガス発生装置の機能形態で構成するが、まったく異質の機能を有する二つの装置を重複設置することにより、互助作用すなわち、ガス化ガス発生装置内の一次燃焼室内で発生する高熱が、ガス化ガス発生装置を介し水ジャケット充填水へ伝わり大量の水蒸気を発生させることで、発電を可能にした。又、それと同時にこの充填水がガス化ガス発生装置を覆うことで、この発生装置の過熱による装置の歪みを防ぎ、本考案の安全性・耐久性の保持をなすことを可能にした。
とを可能にした。
【図面の簡単な説明】
【０００９】
【図１】本考案に係る実施例を示す図３のＡ−Ａ矢視の側断面図である。
【図２】本考案に係る実施例を示す図３Ｃ−Ｃ矢視の斜視図である。
【図３】図１のＢ−Ｂ矢視の横断面図である。
【考案を実施するための形態】
【００１０】  本考案に係る実施例を図１から図３を参照して以下、具体的に説明する。
【実施例】
【００１１】  以下に、実施の形態について説明をするが、本考案を実施するに当りこの説明・手順・機能だけに限定されるものではない。【００１２】  なお、本願書における図面においては明瞭性を保つため、給排水管路は図示せず、考案の実施に係わる機能に関連した設備のみを図示した。【００１３】  図１は、本考案の正面図を断面的に図示することで、発電に係わる水ジャケット１、及び、水ジャケット１内充填水３から発生する水蒸気の誘送に係わる水ジャケット上蓋１ａ、また、前記充填水３の内部に設置された、ガス化ガス発生装置２、の構成を成すガス化ガス発生室４及びガス化ガス発生室フード２ａ・一次燃焼室１２・焼却灰滞留室１３の、水中における設置形態を示す。【００１４】  本考案の実施例は上記形態のように配置したガス化ガス発生室４に付帯する密閉式投入口５を介し、第１の可燃性廃棄物を適量投入し、ガス化ガス発生室４内を負圧状況下に置き、次に、一次燃焼室１２に付帯する原料投入口２２を投入口上蓋把手２３を用いて開口し第２の可燃性廃棄物を適量投入し、一次燃焼室１２の下位に隣接をする焼却灰滞留室１３内の上部に取り付けられたブロー付き着火バーナー１８を使い着火することで、第２の可燃性廃棄物を燃焼させる、また開閉式エアブロー口１６を意図的に開閉させ一次燃焼室１２内の温度を調整することにより、ガス化ガス発生室４内の温度調節を計ることで、ガス化ガス発生室内４のガス化ガス発生量のコントロールを可能にした。【００１５】  本考案を水中可動式構造としたことによって、一次燃焼室において第２の可燃性廃棄物を燃焼させることによって１０００度に達する高熱が生じるが、このとき一次燃焼室１２上部に隣接するガス化ガス発生室４及び、その内容物すなわち第１の可燃性廃棄物の荷重をガス化ガス発生室４下部に位置する低床鋼板９に下位隣接する空洞型荷重支持梁１１の空洞内を、水ジャケット１１内充填水３が循環することで空洞型荷重支持梁１１の強度の維持が敵いガス化ガス発生装置の安全性・耐久性が保たれる。【００１６】  この一次燃焼より発生する高熱が、低床鋼板９や導熱ハット６及び、導熱パネル１０等によって上部隣接のガス化ガス発生室４へと伝わることで、負圧下におかれた第１の可燃性廃棄物を薫焼させガス化ガスの発生を促す、その後、第１の可燃性廃棄物の炭化後残存物は、炭化物排出口７より排出後、一次燃焼室１２において燃料として再利用をなす。【００１７】  この発生したガス化ガスは、ガス化ガス発生室フード２ａに連結されたガス化ガス誘送管路２４に取り付け済みの切り替えバルブ２６によりガス燃料生産工程管路２４ａ・工業用アルコール生産工程管路２４ｂ・軽油代替燃料生産工程管路２４ｃへと分岐抽送することで、発電を含む複数のエネルギーを一基の装置により同時生産を成すことが可能となった。【００１８】  また、一次燃焼室１２内にて発生する高熱はガス化ガス発生装置２の外周物質である鋼製壁面を介し、外周を覆う充填水へと伝わることによって充填水が大量の水蒸気を発生させる結果となり、水ジャケット上蓋１ａに接続される蒸気誘引フード１ｂに接続した発電工程管路２５内を通過せしめ、発電工程２５ａによって発電を成す。【００１９】  また、一次燃焼室１２内にて、燃焼される第２の可燃性廃棄物の残渣、すなわち焼却灰は、目詰まり防止用介錯口１４を利用することで、１次燃焼室１２下位に在する格子枠鋼１５を通過落下させ下部に隣接する焼却灰滞留室１３内で適量蓄積の後、灰出しスロープ１７を利用して焼却灰掻出口１９より焼却灰を掻き出した後、最終処理を行なう。【００２０】  なお、一次燃焼室１２内にて熱源を得ることを目的とし、第２の可燃性廃棄物を燃焼させることにより発生する、煤煙・二酸化炭素・蒸気は煤煙排出管路８を経て二次燃焼室・煤煙除去装置等により無公害化処理を行なう。【００２１】  また、ガス化ガス発生室４へと投入される第１の可燃性廃棄物、及び一次燃焼室１２へと投入される第２の可燃性廃棄物の荷重を支持する梁を、空洞型荷重支持梁１１としたことで、水ジャケット１内充填水３が、空洞型荷重支持梁１１の空洞内を循環することによって、一次燃焼室１２において発生する高熱によるガス化ガス発生装置２の劣化・歪・湾曲状態の発生の防止を可能とし、ガス化ガス発生装置２の安全性・耐久性を高めるに至った。【００２２】  水ジャケット上蓋１ａ、及び、ガス化ガス発生室フード２ａはそれぞれ水ジャケット１及びガス化ガス発生装置２上部へ取付用フランジ２７を持って接続固定をなす、また、この水中稼動式エネルギー発生装置の最下部に位置する低版鋼を、鉄筋コンクリトで成る設備基礎２１の表面部に埋設されたアンカーボルトへ取り付け後ナットによって締め付け固定することで安定設置を成す。
【産業上の利用可能性】
【００２３】  本考案は、水ジャケット１及び、充填水３内に設置されたガス化ガス発生装置２とで構成することにより、水中稼動式エネルギー発生装置となり、生産可能エネルギーが多種目に及び、異業種企業或いは新規事業者もエネルギー生産事業への参加が容易に適うこととなった。【００２４】  本考案の利用の可能性としては、現在、可燃性廃棄物を焼却処分にて処理を行なっている企業や自治体等が、本考案を利用し可燃性廃棄物をエネルギー変換処理をすることで、処理費用の軽減と共に、ＣＯ２排出量ゼロカウントのエネルギー生産を容易にしたことで、概存企業或るいわ新規企業が本考案生産エネルギーを事業活動エネルギー源とすることで、ＣＯ２排出量の大幅削減が可能となり事業の活動範囲を大幅に拡大することが可能となる。
【符号の説明】
【００２５】  １      水ジャケット
１ａ    水ジャケット上蓋
１ｂ    蒸気誘引フード
２      ガス化ガス発生装置
２ａ    ガス化ガス発生室フード
３      水ジャケット充填水
４      ガス化ガス発生室
５      密閉型投入口
６      導熱ハット
７      炭化物排出口
８      煤煙排出菅路
９      低床鋼板
１０      導熱パネル
１１      空洞型荷重支持梁
１２      一次燃焼室
１３      焼却灰滞留室
１４      目詰り防止用介錯口
１５      格子枠鋼
１６      開閉式エアブロー口
１７      灰出スロープ
１８      ブロー付着火バーナー
１９      焼却灰掻出口
２０      低版鋼
２１      設備基礎
２２      原料投入口
２３      投入口上蓋把手
２４      ガス化ガス誘送管路
２４ａ    ガス燃料生産工程管路
２４ｂ    工業用アルコール生産工程管路
２４ｃ    軽油代替燃料生産工程管路
２５      発電工程管路
２５ａ    発電工程
２６      切替バルブ
２７      取付用フランジ
【図１】
0003162182.tif 000003
【図２】
0003162182.tif 000004
【図３】
0003162182.tif 000005